(57)【要約】【課題】  ＡＭ受信機やＦＭ受信機のサーチ選局時の誤ストップを防止する。【解決手段】  ＡＭ受信機２０には、アンテナ１、ＲＦアンプ２、ミキサ３、ＶＣＯ４、ＰＬＬ、ＬＰＦ６、帯域可変ＢＰＦ７、ＩＦアンプ８、ＩＦカウント９、マイコン１０、及びＡＭ検波器１１が設けられている。帯域可変ＢＰＦ７は、ミキサ３とＩＦアンプ８の間に設けられ、ミキサ３から出力される中間周波数信号Ｓ１２を入力し、所定の通過帯域の信号を通過させ、通過帯域以外の領域の信号をカットした中間周波数信号Ｓ１３を生成する。所定の通過帯域の設定は、マイコン１０から出力される制御信号Ｓ１６にもとづいて帯域可変される。【選択図】  図１
2007019847.tif 000002
【特許請求の範囲】
【請求項１】
ミキシング動作するミキサ後段に設けられ、通常動作時に広帯域フィルタとして動作し、希望局をサーチするサーチ選局時に狭帯域フィルタとして動作して前記ミキサから出力される中間周波数信号の所定の通過帯域の信号を通過させ、前記通過帯域以外の領域の信号をカットする帯域可変フィルタと、
前記帯域可変フィルタから出力される中間周波数信号を入力し、その信号を増幅するＩＦアンプと、
前記ＩＦアンプから出力される中間周波数信号の周波数を計測するＩＦカウントと、
前記帯域可変フィルタを通常動作時に広帯域フィルタとして動作させ、希望局をサーチするサーチ選局時に狭帯域フィルタとして動作させるための制御信号を生成し、その信号を前記帯域可変フィルタに出力するフィルタ帯域可変制御手段と、
を具備することを特徴とする受信機。
【請求項２】
アンテナから受信した受信信号及び局部発信信号を入力し、ミキシング動作を行なうミキサと、
前記ミキサ後段に設けられ、通常動作時に広帯域フィルタとして動作し、希望局をサーチするサーチ選局時に狭帯域フィルタとして動作して前記ミキサから出力される中間周波数信号の所定の通過帯域の信号を通過させ、前記通過帯域以外の領域の信号をカットする帯域可変フィルタと、
前記帯域可変フィルタから出力される中間周波数信号を入力し、その信号を増幅するＩＦアンプと、
前記ＩＦアンプから出力される中間周波数信号の周波数を計測するＩＦカウントと、
前記帯域可変フィルタを通常動作時に広帯域フィルタとして動作させ、希望局をサーチするサーチ選局時に狭帯域フィルタとして動作させるための制御信号を生成し、その信号を前記帯域可変フィルタに出力するフィルタ帯域可変制御手段と、前記ＩＦカウントから出力されるＩＦカウント信号を入力し、ＩＦカウント値が指定された所定の公差内にあるか否かの判定を行なう判定手段と、前記ＩＦカウント値が所定の公差内でないと判定した場合、受信周波数を変更するための周波数変更信号を出力する受信周波数変更手段とを有するマイコンと、
を具備することを特徴とする受信機。
【請求項３】
ミキシング動作するミキサ後段に設けられ、通常動作時に広帯域フィルタとして動作し、希望局をサーチするサーチ選局時に狭帯域フィルタとして動作して前記ミキサから出力される中間周波数信号の所定の通過帯域の信号を通過させ、前記通過帯域以外の領域の信号をカットする帯域可変フィルタと、
前記帯域可変フィルタから出力される中間周波数信号を入力し、その信号を増幅するリミッタアンプと、
前記リミッタアンプから出力される中間周波数信号の周波数を計測するＩＦカウントと、
前記帯域可変フィルタを通常動作時に広帯域フィルタとして動作させ、希望局をサーチするサーチ選局時に狭帯域フィルタとして動作させるための制御信号を生成し、その信号を前記帯域可変フィルタに出力するフィルタ帯域可変制御手段と、
を具備することを特徴とする受信機。
【請求項４】
アンテナから受信した受信信号及び局部発信信号を入力し、ミキシング動作を行なうミキサと、
前記ミキサ後段に設けられ、通常動作時に広帯域フィルタとして動作し、希望局をサーチするサーチ選局時に狭帯域フィルタとして動作して前記ミキサから出力される中間周波数信号の所定の通過帯域の信号を通過させ、前記通過帯域以外の領域の信号をカットする帯域可変フィルタと、
前記帯域可変フィルタから出力される中間周波数信号を入力し、その信号を増幅するリミッタアンプと、
前記リミッタアンプから出力される中間周波数信号の周波数を計測するＩＦカウントと、
前記帯域可変フィルタを通常動作時に広帯域フィルタとして動作させ、希望局をサーチするサーチ選局時に狭帯域フィルタとして動作させるための制御信号を生成し、その信号を前記帯域可変フィルタに出力するフィルタ帯域可変制御手段と、前記ＩＦカウントから出力されるＩＦカウント信号を入力し、ＩＦカウント値が指定された所定の公差内にあるか否かの判定を行なう判定手段と、前記ＩＦカウント値が所定の公差内でないと判定した場合、受信周波数を変更するための周波数変更信号を出力する受信周波数変更手段とを有するマイコンと、
を具備することを特徴とする受信機。
【請求項５】
前記帯域可変フィルタは、帯域制限回路、共振回路、及び直流カットコンデンサを有するＢＰＦ、或いはフィルタの中心周波数可変するフィルタ回路部及びフィルタの帯域を可変する帯域可変部を有するＢＰＦであることを特徴とする請求項１乃至４のいずれか１項に記載の受信機。
【発明の詳細な説明】
【技術分野】
【０００１】
本発明は、ラジオ、チューナー等に用いられるＡＭ受信機やＦＭ受信機に関する。
【背景技術】
【０００２】
ＡＭ受信機やＦＭ受信機では、希望局をサーチする場合、中間周波数（ＩＦ）をカウントするＩＦカウントから出力される信号にもとづいて希望局の検出を行なっている。希望局に高出力の妨害局が隣接する場合或いは高変調を行なっている妨害局が隣接する場合、妨害局の信号を希望局のＩＦカウント出力と誤検出してサーチ検出がストップする可能性がある。このため、スイッチ選択により通常動作時は広帯域フィルタを用い、サーチ検出時は狭帯域フィルタを用いて検出ストップを防止している（例えば、特許文献１参照。）。
【０００３】
ところが、狭帯域フィルタの中心周波数は固定されているので希望局と隣接する妨害局の組み合わせが異なる場合に対応ができないという問題点がある。また、地域別、国内或いは海外では、希望局と隣接する妨害局の組み合わせが多数あるので、それぞれの検出ストップ防止用として狭帯域フィルタを複数設ける必要が生じ、ＡＭ受信機やＦＭ受信機を構成する半導体集積回路や半導体装置の部品点数が増加し、ＡＭ受信機やＦＭ受信機のコストが上昇したり、容量が増大する問題点がある。
【特許文献１】特開平１１−２３４１６１号公報（頁５、図１及び図４）
【発明の開示】
【発明が解決しようとする課題】
【０００４】
本発明は、ミキサ後段に通常時は広帯域、希望局をサーチするサーチ選局時は狭帯域のフィルタとして機能する帯域可変フィルタを設け、サーチ選局時の誤ストップを防止するＡＭ受信機やＦＭ受信機を提供する。
【課題を解決するための手段】
【０００５】
上記目的を達成するために、本発明の一態様の受信機は、ミキシング動作するミキサ後段に設けられ、通常動作時に広帯域フィルタとして動作し、希望局をサーチするサーチ選局時に狭帯域フィルタとして動作して前記ミキサから出力される中間周波数信号の所定の通過帯域の信号を通過させ、前記通過帯域以外の領域の信号をカットする帯域可変フィルタと、前記帯域可変フィルタから出力される中間周波数信号を入力し、その信号を増幅するＩＦアンプと、前記ＩＦアンプから出力される中間周波数信号の周波数を計測するＩＦカウントと、前記帯域可変フィルタを通常動作時に広帯域フィルタとして動作させ、希望局をサーチするサーチ選局時に狭帯域フィルタとして動作させるための制御信号を生成し、その信号を前記帯域可変フィルタに出力するフィルタ帯域可変制御手段とを具備することを特徴とする。
【０００６】
更に、上記目的を達成するために、本発明の他態様の受信機は、ミキシング動作するミキサ後段に設けられ、通常動作時に広帯域フィルタとして動作し、希望局をサーチするサーチ選局時に狭帯域フィルタとして動作して前記ミキサから出力される中間周波数信号の所定の通過帯域の信号を通過させ、前記通過帯域以外の領域の信号をカットする帯域可変フィルタと、前記帯域可変フィルタから出力される中間周波数信号を入力し、その信号を増幅するリミッタアンプと、前記リミッタアンプから出力される中間周波数信号の周波数を計測するＩＦカウントと、前記帯域可変フィルタを通常動作時に広帯域フィルタとして動作させ、希望局をサーチするサーチ選局時に狭帯域フィルタとして動作させるための制御信号を生成し、その信号を前記帯域可変フィルタに出力するフィルタ帯域可変制御手段とを具備することを特徴とする。
【発明の効果】
【０００７】
本発明によれば、ミキサ後段に通常時は広帯域、希望局をサーチするサーチ選局時は狭帯域のフィルタとして機能する帯域可変フィルタを設け、サーチ選局時の誤ストップを防止するＡＭ受信機やＦＭ受信機を提供することができる。
【発明を実施するための最良の形態】
【０００８】
以下本発明の実施例について図面を参照しながら説明する。
【実施例１】
【０００９】
まず、本発明の実施例１に係る受信機について、図面を参照して説明する。図１はシングルヘテロダイン方式ＡＭ受信機を示すブロック図、図２は帯域可変ＢＰＦ（Band  Pass  Filter）を示す回路図である。本実施例では、ミキサ後段に希望局をサーチするサーチ選局時での誤ＩＦカウントを防止するための帯域可変フィルタを設けている。
【００１０】
図１に示すように、ＡＭ受信機２０には、アンテナ１、ＲＦアンプ２、ミキサ３、ＶＣＯ（Voltage  Controlled  Oscillator）４、ＰＬＬ（Phase  Locked  Loop）、ＬＰＦ（Low  Pass  Filter）６、帯域可変ＢＰＦ７、ＩＦアンプ８、ＩＦカウント９、マイコン１０、及びＡＭ検波器１１が設けられている。
【００１１】
アンテナ１は、外部電波（ＡＭ信号）を受信し、その信号を図示しないフィルタを介してＲＦアンプ２に伝達する。ＲＦアンプ２は、アンテナ１とミキサ３の間に設けられ、アンテナ１で受信した微弱な外部信号を増幅する。
【００１２】
ＶＣＯ４は、ミキサ３とＰＬＬ５の間に設けられ、電圧制御発振器として動作し、ＬＰＦ６を介してＰＬＬ５から出力される選局制御用信号を入力し、受信した周波数と一定の周波数だけずれた周波数の局部発振信号Ｓ１１を発振する。
【００１３】
ミキサ３は、ＲＦアンプ２と帯域可変ＢＰＦ７の間に設けられ、図示しない同相用ミキサとしてのＩミキサと直交用ミキサとしてのＱミキサから構成されている。ＩミキサとＱミキサにはＶＣＯ４から出力された局部発振信号Ｓ１１及びＲＦアンプ２の出力信号が入力され、ミキシング動作を行う。なお、Ｑミキサには、Ｉミキサに入力された局部発振信号Ｓ１１に対して９０°位相がずれた局部発振信号が入力される。ここで、Ｉミキサ及びＱミキサは、例えば、ＤＢＭ（Double−Balanced  Mixer）から構成される。
【００１４】
ＰＬＬ５は、マイコン１０から周波数変更信号Ｓ１５を入力し、その信号にもとづいてＡＭ放送波信号を得るための選局制御用信号を生成し、ＬＰＦ６を介してＶＣＯ４に出力する。
【００１５】
帯域可変ＢＰＦ７は、ミキサ３とＩＦアンプ８の間に設けられ、ミキサ３から出力される中間周波数信号Ｓ１２を入力し、所定の通過帯域の信号を通過させ、通過帯域以外の領域の信号をカットした中間周波数信号Ｓ１３を生成する。所定の通過帯域の設定は、マイコン１０から出力される制御信号Ｓ１６にもとづいて帯域可変される。そして、帯域可変ＢＰＦ７はＡＭ受信機２０の通常動作時に広帯域フィルタ、希望局をサーチするサーチ選局時或いはＲＤＳ（Radio  Data  System）のＡＦ（Alternative  frequency）サーチ時に狭帯域フィルタとして機能する。
【００１６】
ＩＦアンプ８は、帯域可変ＢＰＦ７とＡＭ検波器１１の間に設けられ、帯域可変ＢＰＦ７から出力される中間周波数信号Ｓ１３を入力し、その信号を増幅する。ＡＭ検波器１１は、ＩＦアンプ８で増幅された信号を入力し、ＡＭ検波を行う。
【００１７】
ＩＦカウント９は、ＩＦアンプ８とマイコン１０の間に設けられ、ＩＦアンプ８から出力される中間周波数ＩＦを計測し、ＩＦカウント信号Ｓ１４を出力する。計測方法は、基本クロック周波数×ＩＦパルス数÷クロック数で計算される。
【００１８】
マイコン１０は、ＩＦカウント９とＰＬＬ５及び帯域可変ＢＰＦ７の間に設けられ、帯域可変ＢＰＦ７を通常動作時に広帯域フィルタ、サーチ選局時に狭帯域フィルタとして機能するための制御信号を生成する（フィルタ帯域可変制御手段）。そして、ＩＦカウント信号Ｓ１４を入力し、ＩＦカウント値が指定された所定の公差内にあるか否かの判定（判定手段）と、ＩＦカウント値が所定の公差内でないと判定した場合、周波数ステップを変更し、受信周波数を変更するための周波数変更信号Ｓ１５をＰＬＬ５に出力する（受信周波数変更手段）。ここで、帯域可変ＢＰＦ７の帯域幅及び中心周波数を設定するための制御信号は、マイコン１０内部に設けられたメモリに記憶される情報にもとづいて生成される。そして、その記憶情報は外部から書き込み及び読み出し可能となっているので、新たに情報をマイコン１０に書き込むことにより一度設定された帯域可変ＢＰＦ７の帯域幅及び中心周波数を変更することができる。
【００１９】
図２に示すように、帯域可変ＢＰＦ７は、帯域制限回路１２、共振回路１３、及びコンデンサＣ１から構成されている。
【００２０】
帯域制限回路１２は、図示しない可変コンデンサ、直流カットコンデンサ、及びバイアス抵抗などから構成され、ミキサ３から出力される中間周波数信号Ｓ１２を入力し、マイコン１０から出力される帯域制御信号にもとづいて中間周波数信号Ｓ１２の低周波帯域を減衰させる。
【００２１】
共振回路１３は、図示しない共振コイル、共振コンデンサ、制御コンデンサ、可変コンデンサ、及びバイアス抵抗などから構成され、信号線に対して並列配置され、マイコン１０から出力される周波数制御信号にもとづいて中間周波数信号Ｓ１２の高周波帯域を減衰させる。ここで、マイコン１０から出力される帯域制御信号及び周波数制御信号により、帯域可変ＢＰＦ７の帯域幅及び中心周波数が決定される。そして、コンデンサＣ１は、直流カットコンデンサとして動作する。
【００２２】
次に、サーチ選局時でのシングルヘテロダイン方式ＡＭ受信機の動作について図３を参照して説明する。図３はサーチ選局時でのシングルヘテロダイン方式ＡＭ受信機の動作を説明するための特性図、図３（ａ）は本実施例の特性を示す図、図３（ｂ）は従来の特性を示す図である。ここでは、希望局に対して隣接妨害局の受信レベルが大きく、且つ隣接妨害局の変調度が高くサイドバンドの受信レベルも大きい場合である。そして、従来ではミキサ後段に比較的帯域が広い帯域可変できないＢＰＦが設けられ、本実施例ではミキサ後段にサーチ選局時、比較的帯域が狭い狭帯域フィルタとして機能できる帯域可変ＢＰＦが設けられた場合である。
【００２３】
図３（ｂ）に示すように、従来では、隣接妨害局の高周波側のサイドバンドの信号が比較的帯域の広いＢＰＦフィルタでカットされず誤検出されてＩＦカウントされる。このため、希望局をサーチするサーチ選局がストップする。
【００２４】
一方、図３（ａ）に示すように、本実施例では、隣接妨害局の高周波側のサイドバンドの信号が、比較的帯域の狭い狭帯域フィルタとしての帯域可変ＢＰＦ７によりカットされ、所望の希望局の信号のみ検出されてＩＦカウントされる。このため、希望局をサーチする正常なサーチ選局が行なわれる。
【００２５】
上述したように、本実施例の受信機では、ミキサ３から出力される中間周波数信号Ｓ１２を入力し、所定の通過帯域の信号を通過させ、通過帯域以外の領域の信号をカットした中間周波数信号Ｓ１３を生成する帯域可変ＢＰＦ７と、ＩＦアンプ８から出力される中間周波数ＩＦを計測し、ＩＦカウント信号Ｓ１４を出力するＩＦカウント９と、ＩＦカウント信号Ｓ１４を入力し、ＩＦカウント値が指定された所定の公差内にあるか否かの判定と、ＩＦカウント値が所定の公差内でないと判定した場合、周波数ステップを変更し、受信周波数を変更するための周波数変更信号Ｓ１５をＰＬＬ５に出力し、帯域可変ＢＰＦ７の帯域幅及び中心周波数を設定する制御信号Ｓ１６を生成するマイコン１０とが設けられている。そして、帯域可変ＢＰＦは、通常動作時に広帯域フィルタ、希望局をサーチするサーチ選局時に狭帯域フィルタとして機能する。
【００２６】
このため、高変調を行なう妨害局が隣接している場合、或いは高出力の妨害局が隣接している場合でも誤ったＩＦカウント検出を防止でき、希望局のＩＦカウント出力を検出することができる。したがって、誤ったＩＦカウント検出による希望局をサーチするサーチ選局ストップが防止できる。
【実施例２】
【００２７】
次に、本発明の実施例２に係る受信機について、図面を参照して説明する。図４は帯域可変ＢＰＦを示す回路図である。本実施例では、ミキサ後段にスイッチを用いてコンデンサを選択してコンデンサ容量を可変する帯域可変ＢＰＦを設けている。
【００２８】
以下、実施例１と同一構成部分には、同一符号を付してその部分の説明を省略し、異なる部分のみ説明する。
【００２９】
図４に示すように、帯域可変ＢＰＦ７ａは、第１のフィルタ回路部４１、第２のフィルタ回路部４２、第１の帯域可変部４３、第２の帯域可変部４４、及び第３の帯域可変部４５から構成され、ＡＭ受信機２０のミキサ３の後段に設けられている。
【００３０】
第１のフィルタ回路部４１は、第１の帯域可変部４３と第２の帯域可変部４４の間に設けられ、コンデンサＣ２１乃至Ｃ２３、伝送路Ｌ１、及びスイッチＳＷ１から構成され、コンデンサを選択することによりフィルタの中心周波数を可変する。
【００３１】
伝送路Ｌ１は、一端が信号線に接続され、他端が接地線としての低電位側電源Ｖｓｓに接続されている。ＳＰ３Ｔ（Single  Pole  3  Throw）であるスイッチＳＷ１は、信号線とコンデンサＣ２１乃至Ｃ２３の間に設けられ、信号線とコンデンサＣ２１、コンデンサＣ２２、或いはコンデンサＣ２３との間の接続を選択する。コンデンサＣ２１乃至Ｃ２３は、スイッチＳＷ１と低電位側電源Ｖｓｓの間に並行配置されている。
【００３２】
第２のフィルタ回路部４２は、第２の帯域可変部４４と第３の帯域可変部４５の間に設けられ、コンデンサＣ３１乃至Ｃ３３、伝送路Ｌ２、及びスイッチＳＷ２から構成され、コンデンサを選択することによりフィルタの中心周波数を可変する。
【００３３】
伝送路Ｌ２は、一端が信号線に接続され、他端が接地線としての低電位側電源Ｖｓｓに接続されている。ＳＰ３ＴであるスイッチＳＷ２は、信号線とコンデンサＣ３１乃至Ｃ３３の間に設けられ、信号線とコンデンサＣ３１、コンデンサＣ３２、或いはコンデンサＣ３３との間の接続を選択する。コンデンサＣ３１乃至Ｃ３３は、スイッチＳＷ２と低電位側電源Ｖｓｓの間に並行配置されている。
【００３４】
第１の帯域可変部４３は、ミキサ３の出力側と第１のフィルタ回路部４１の入力側の間に設けられ、コンデンサＣ１１乃至Ｃ１３、及びスイッチＳＷ３から構成され、コンデンサを選択することによりフィルタの帯域を可変する。
【００３５】
ＳＰ３ＴであるスイッチＳＷ３は、一端がミキサ３の出力側に接続され、他端がコンデンサＣ１１、コンデンサＣ１２、或いはコンデンサＣ１３の一端に接続される。コンデンサＣ１１乃至Ｃ１３は、他端が第１のフィルタ回路部４１の入力側に接続され、結合コンデンサとして機能する。
【００３６】
第２の帯域可変部４４は、第１のフィルタ回路部４１と第２のフィルタ回路部４２の間に設けられ、コンデンサＣ１４乃至Ｃ１６、及びスイッチＳＷ４から構成され、コンデンサを選択することによりフィルタの帯域を可変する。
【００３７】
ＳＰ３ＴであるスイッチＳＷ４は、一端が、第１のフィルタ回路部４１の出力側に接続され、他端がコンデンサＣ１４、コンデンサＣ１５、或いはコンデンサＣ１６の一端に接続される。コンデンサＣ１４乃至Ｃ１６は、他端が第２のフィルタ回路部４２の入力側に接続され、結合コンデンサとして機能する。
【００３８】
第３の帯域可変部４５は、第２のフィルタ回路部４２の出力側とＩＦアンプ８の入力側の間に設けられ、コンデンサＣ１７乃至Ｃ１９、及びスイッチＳＷ５から構成され、コンデンサを選択することによりフィルタの帯域を可変する。
【００３９】
ＳＰ３ＴであるスイッチＳＷ５は、一端が、第２のフィルタ回路部４２の出力側に接続され、他端がコンデンサＣ１７、コンデンサＣ１８、或いはコンデンサＣ１９の一端に接続される。コンデンサＣ１７乃至Ｃ１９は、他端がＩＦアンプ８の入力側に接続され、結合コンデンサとして機能する。
【００４０】
ここで、スイッチＳＷ１及びスイッチＳＷ２により、それぞれコンデンサを選択することにより帯域可変ＢＰＦ７ａの中心周波数を可変でき、例えば、容量値の大きなコンデンサを選択した場合には低周波側に、容量値の小さなコンデンサを選択した場合には高周波側に設定できる。なお、フィルタ回路部を２段構成にしているが、３段構成以上にするとフィルタの急峻性が向上する。
【００４１】
また、スイッチＳＷ３乃至ＳＷ５により、それぞれコンデンサを選択し、コンデンサの容量値を変更することにより帯域可変ＢＰＦ７ａの所望の帯域幅を得ることができる。
【００４２】
上述したように、本実施例の受信機では、ミキサ３から出力される中間周波数信号を入力し、所定の通過帯域の信号を通過させ、通過帯域以外の領域の信号をカットした中間周波数信号を生成する第１のフィルタ回路部４１、第２のフィルタ回路部４２、第１の帯域可変部４３、第２の帯域可変部４４、及び第３の帯域可変部４５から構成される帯域可変ＢＰＦ７ａが設けられている。そして、帯域可変ＢＰＦａは、通常動作時に広帯域フィルタ、希望局をサーチするサーチ選局時に狭帯域フィルタとして機能する。
【００４３】
このため、高変調を行なう妨害局が隣接している場合、或いは高出力の妨害局が隣接している場合でも誤ったＩＦカウント検出を防止でき、希望局のＩＦカウント出力を検出することができる。したがって、誤ったＩＦカウント検出による希望局をサーチするサーチ選局ストップが防止できる。
【００４４】
なお、本実施例では、第１のフィルタ回路部４１、第２のフィルタ回路部４２、第１の帯域可変部４３、第２の帯域可変部４４、及び第３の帯域可変部４５にそれぞれコンデンサを３個づつ設けているが、帯域可変ＢＰＦとして要求される帯域幅及び中心周波数にあわせて適宜コンデンサの数を変更してもよい。また、フィルタ回路部の段数を適宜変更してもよい。
【実施例３】
【００４５】
次に、本発明の実施例３に係る受信機について、図面を参照して説明する。図５はＩＦ部２段構成のＡＭ受信機を示すブロック図である。本実施例では、２段目のミキサ後段に帯域可変ＢＰＦを設けている。
【００４６】
以下、実施例１と同一構成部分には、同一符号を付してその部分の説明を省略し、異なる部分のみ説明する。
【００４７】
図５に示すように、ＡＭ受信機２０ａには、アンテナ１、ＲＦアンプ２、第１のミキサ３ａ、第２のミキサ３ｂ、ＶＣＯ４、ＰＬＬ５、ＬＰＦ６、帯域可変ＢＰＦ７ｂ、第１のＩＦアンプ８ａ、第２のＩＦアンプ８ｂ、ＩＦカウント９、マイコン１０、ＡＭ検波器１１、ＢＰＦ１４、及びＯＳＣ１５が設けられている。
【００４８】
第１のミキサ３ａは、ＲＦアンプ２とＢＰＦ１４の間に設けられ、図示しない同相用ミキサとしてのＩミキサと直交用ミキサとしてのＱミキサから構成されている。ＩミキサとＱミキサにはＶＣＯ４から出力された局部発振信号Ｓ１１及びＲＦアンプ２の出力信号が入力され、ミキシング動作を行う。
【００４９】
ＢＰＦ１４は、第１のミキサ３ａと第１のＩＦアンプ８ａの間に設けられ、第１のミキサ３ａから出力される中間周波数信号を入力し、所定の通過帯域の信号を通過させ、通過帯域以外の領域の信号をカットした中間周波数信号を生成する。
【００５０】
第１のＩＦアンプ８ａは、ＢＰＦ１４と第２のミキサ３ｂの間に設けられ、ＢＰＦ１４から出力される中間周波数信号を入力し、その信号を増幅する。
【００５１】
第２のミキサ３ｂは、第１のＩＦアンプ８ａと帯域可変ＢＰＦ７ｂの間に設けられ、図示しない同相用ミキサとしてのＩミキサと直交用ミキサとしてのＱミキサから構成されている。ＩミキサとＱミキサにはＯＳＣ１５から出力された局部発振信号Ｓ２１及び第１のＩＦアンプ８ａの出力信号が入力され、ミキシング動作を行う。
【００５２】
帯域可変ＢＰＦ７ｂは、第２のミキサ３ａと第２のＩＦアンプ８ｂの間に設けられ、第２のミキサ３ａから出力される中間周波数信号Ｓ２２を入力し、所定の通過帯域の信号を通過させ、通過帯域以外の領域の信号をカットした中間周波数信号Ｓ２３を生成する。所定の通過帯域の設定は、マイコン１０から出力される制御信号Ｓ１６ａにもとづいて帯域可変される。ここで、中間周波数信号Ｓ２２は、第１のミキサ３ａから出力される中間周波数信号よりも低周波である。
【００５３】
第２のＩＦアンプ８ｂは、帯域可変ＢＰＦ７ｂとＡＭ検波器１１の間に設けられ、帯域可変ＢＰＦ７ｂから出力される中間周波数信号Ｓ２３を入力し、その信号を増幅する。ＡＭ検波器１１は、第２のＩＦアンプ８ｂで増幅された信号を入力し、ＡＭ検波を行う。
【００５４】
ＩＦカウント９は、第２のＩＦアンプ８ｂとマイコン１０の間に設けられ、第２のＩＦアンプ８ｂから出力される中間周波数ＩＦを計測し、ＩＦカウント信号Ｓ１４ａを出力する。
【００５５】
マイコン１０は、ＩＦカウント９とＰＬＬ５及び帯域可変ＢＰＦ７の間に設けられ、帯域可変ＢＰＦ７ｂを通常動作時に広帯域フィルタ、サーチ選局時に狭帯域フィルタとして機能するための制御信号を生成する。そして、ＩＦカウント信号Ｓ１４ａを入力し、ＩＦカウント値が指定された所定の公差内にあるか否かの判定と、ＩＦカウント値が所定の公差内でないと判定した場合、周波数ステップを変更し、受信周波数を変更するための周波数変更信号Ｓ１５ａをＰＬＬ５に出力する。
【００５６】
上述したように、本実施例の受信機では、第２のミキサ３ｂから出力される中間周波数信号Ｓ２２を入力し、所定の通過帯域の信号を通過させ、通過帯域以外の領域の信号をカットした中間周波数信号Ｓ２３を生成する帯域可変ＢＰＦ７ｂと、第２のＩＦアンプ８ｂから出力される中間周波数ＩＦを計測し、ＩＦカウント信号Ｓ１４ａを出力するＩＦカウント９と、ＩＦカウント信号Ｓ１４ａを入力し、ＩＦカウント値が指定された所定の公差内にあるか否かの判定と、ＩＦカウント値が所定の公差内でないと判定した場合、周波数ステップを変更し、受信周波数を変更するための周波数変更信号Ｓ１５ａをＰＬＬ５に出力し、帯域可変ＢＰＦ７ｂの帯域幅及び中心周波数を設定する制御信号Ｓ１６ａを生成するマイコン１０とが設けられている。そして、帯域可変ＢＰＦｂは、通常動作時に広帯域フィルタ、希望局をサーチするサーチ選局時に狭帯域フィルタとして機能する。
【００５７】
このため、高変調を行なう妨害局が隣接している場合、或いは高出力の妨害局が隣接している場合でも誤ったＩＦカウント検出を防止でき、希望局のＩＦカウント出力を検出することができる。したがって、誤ったＩＦカウント検出による希望局をサーチするサーチ選局ストップが防止できる。
【実施例４】
【００５８】
次に、本発明の実施例４に係る受信機について、図面を参照して説明する。図６はシングルへテロダイン方式ＦＭ受信機を示すブロック図である。
【００５９】
以下、実施例１と同一構成部分には、同一符号を付してその部分の説明を省略し、異なる部分のみ説明する。
【００６０】
図６に示すように、ＦＭ受信機３０には、アンテナ１、ＲＦアンプ２ａ、ミキサ３ｃ、ＶＣＯ４ａ、ＰＬＬ５ａ、ＬＰＦ６ａ、帯域可変ＢＰＦ７ｃ、ＩＦカウント９、マイコン１０、リミッタアンプ１６、及びＦＭ検波器１７が設けられている。
【００６１】
アンテナ１は、外部電波（ＦＭ信号）を受信し、その信号を図示しないフィルタを介してＲＦアンプ２ａに伝達する。ＲＦアンプ２ａはアンテナ１で受信した微弱な外部信号を増幅する。
【００６２】
ＶＣＯ４ａは、ミキサ３ｃとＰＬＬ５ａの間に設けられ、電圧制御発振器として動作し、ＬＰＦ６ａを介してＰＬＬ５ａから出力される選局制御信号を入力し、受信した周波数と一定の周波数だけずれた周波数の局部発振信号Ｓ１１ａを発信する。
【００６３】
ミキサ３ｃは、図示しない同相用ミキサとしてのＩミキサと直交用ミキサとしてのＱミキサから構成されている。ＩミキサとＱミキサには電圧制御発振器としてのＶＣＯ４ａから局部発振信号Ｓ１１ａ及びＲＦアンプ２ａの出力信号が入力され、ミキシング動作を行う。
【００６４】
ＰＬＬ５ａは、マイコン１０から周波数変更信号Ｓ１５ｂを入力し、その信号にもとづいてＦＭ放送波信号を得るための選局制御用信号を生成し、ＬＰＦ６ａを介してＶＣＯ４ａに出力する。
【００６５】
帯域可変ＢＰＦ７ｃは、ミキサ３ｃとリミッタアンプ１６の間に設けられ、ミキサ３ｃから出力される中間周波数信号Ｓ１２ａを入力し、所定の通過帯域の信号を通過させ、通過帯域以外の領域の信号をカットした中間周波数信号Ｓ１３ａを生成する。所定の通過帯域の設定は、マイコン１０から出力される制御信号Ｓ１６ｂにもとづいて帯域可変される。そして、帯域可変ＢＰＦ７ｃはＦＭ受信機３０の通常動作時に広帯域フィルタ、希望局をサーチするサーチ選局時或いはＲＤＳのＡＦサーチ時に狭帯域フィルタとして機能する。
【００６６】
リミッタアンプ１６は、帯域可変ＢＰＦ７ｃとＦＭ検波器１７の間に設けられ、帯域可変ＢＰＦから出力される中間周波数信号Ｓ１３ａを中間周波リミッタ増幅器として増幅動作する。ＦＭ検波器３２は、リミッタアンプ１６で増幅された信号を入力し、ＦＭ検波を行う。
【００６７】
ＩＦカウント９は、リミッタアンプ１６とマイコン１０の間に設けられ、リミッタアンプ１６から出力される中間周波数信号Ｓ１３ａを中間周波数ＩＦとして計測し、ＩＦカウント信号Ｓ１４ｂを出力する。
【００６８】
マイコン１０は、ＩＦカウント９とＰＬＬ５ａ及び帯域可変ＢＰＦ７ｃの間に設けられ、帯域可変ＢＰＦ７ｃを通常動作時に広帯域フィルタ、サーチ選局時に狭帯域フィルタとして機能するための制御信号Ｓ１６ｂを生成する。そして、ＩＦカウント信号Ｓ１４ｂを入力し、ＩＦカウント値が指定された所定の公差内にあるか否かの判定と、ＩＦカウント値が所定の公差内でないと判定した場合、周波数ステップを変更し、受信周波数を変更するための周波数変更信号Ｓ１５ｂをＰＬＬ５ａに出力する。
【００６９】
上述したように、本実施例の受信機では、ミキサ３ｃから出力される中間周波数信号Ｓ１２ａを入力し、所定の通過帯域の信号を通過させ、通過帯域以外の領域の信号をカットした中間周波数信号Ｓ１３ａを生成する帯域可変ＢＰＦ７ｃと、帯域可変ＢＰＦ７ｃから出力される中間周波数信号Ｓ１３ａである中間周波数ＩＦを計測し、ＩＦカウント信号Ｓ１４ｂを出力するＩＦカウント９と、ＩＦカウント信号Ｓ１４ｂを入力し、ＩＦカウント値が指定された所定の公差内にあるか否かの判定と、ＩＦカウント値が所定の公差内でないと判定した場合、周波数ステップを変更し、受信周波数を変更するための周波数変更信号Ｓ１５ｂをＰＬＬ５ａに出力し、帯域可変ＢＰＦ７ｃの帯域幅及び中心周波数を設定する制御信号Ｓ１６ｂを生成するマイコン１０とが設けられている。そして、帯域可変ＢＰＦｃは、通常動作時に広帯域フィルタ、希望局をサーチするサーチ選局時に狭帯域フィルタとして機能する。
【００７０】
このため、高変調を行なう妨害局が隣接している場合、或いは高出力の妨害局が隣接している場合でも誤ったＩＦカウント検出を防止でき、希望局のＩＦカウント出力を検出することができる。したがって、誤ったＩＦカウント検出による希望局をサーチするサーチ選局ストップが防止できる。
【００７１】
本発明は、上記実施例に限定されるものではなく、発明の趣旨を逸脱しない範囲で、種々、変更してもよい。
【００７２】
例えば、実施例１乃至４では、帯域可変フィルタに帯域可変ＢＰＦを用いているが、通過帯域を可変できるＬＰＦ及びＨＰＦ（High  Pass  Filter）の２段構成の帯域可変フィルタを用いてもよい。その場合、マイコンからの制御信号をＬＰＦ及びＨＰＦに出力する必要がある。また、ＡＭ受信機或いはＦＭ受信機について説明しているが、ＡＭ受信機及びＦＭ受信機を同一装置内に設けた場合でもよい。
【００７３】
本発明は、以下の付記に記載されているような構成が考えられる。  
（付記１）  アンテナから受信した受信信号及び局部発信信号を入力し、ミキシング動作を行なう第１のミキサと、前記第１のミキサから出力される信号をフィルタ及び第１のＩＦアンプを介して入力し、ミキシング動作する第２のミキサと、前記第２のミキサ後段に設けられ、通常動作時に広帯域フィルタとして動作し、希望局をサーチするサーチ選局時に狭帯域フィルタとして動作して前記第２のミキサから出力される中間周波数信号の所定の通過帯域の信号を通過させ、前記通過帯域以外の領域の信号をカットする帯域可変フィルタと、前記帯域可変フィルタから出力される中間周波数信号を入力し、その信号を増幅する第２のＩＦアンプと、前記第２のＩＦアンプから出力される中間周波数信号の周波数を計測するＩＦカウントと、前記帯域可変フィルタを通常動作時に広帯域フィルタとして動作させ、希望局をサーチするサーチ選局時に狭帯域フィルタとして動作させるための制御信号を生成し、その信号を前記帯域可変フィルタに出力するフィルタ帯域可変制御手段と、前記ＩＦカウントから出力されるＩＦカウント信号を入力し、ＩＦカウント値が指定された所定の公差内にあるか否かの判定を行なう判定手段と、前記ＩＦカウント値が所定の公差内でないと判定した場合、受信周波数を変更するための周波数変更信号を出力する受信周波数変更手段とを有するマイコンとを具備する受信機。
【図面の簡単な説明】
【００７４】
【図１】本発明の実施例１に係るシングルヘテロダイン方式ＡＭ受信機を示すブロック図。
【図２】本発明の実施例１に係る帯域可変ＢＰＦを示す回路図。
【図３】本発明の実施例１に係るサーチ選局時でのシングルヘテロダイン方式ＡＭ受信機の動作を説明するための特性図。
【図４】本発明の実施例２に係る帯域可変ＢＰＦを示す回路図。
【図５】本発明の実施例３に係るＩＦ部２段構成のＡＭ受信機を示すブロック図。
【図６】本発明の実施例４に係るシングルヘテロダイン方式ＦＭ受信機を示すブロック図。
【符号の説明】
【００７５】
１  アンテナ
２、２ａ  ＲＦアンプ
３、３ｃ  ミキサ
３ａ  第１のミキサ
３ｂ  第２のミキサ
４、４ａ  ＶＣＯ
５、５ａ  ＰＬＬ
６、６ａ  ＬＰＦ
７、７ａ、７ｂ、７ｃ  帯域可変ＢＰＦ
８  ＩＦアンプ
８ａ  第１のＩＦアンプ
８ｂ  第２のＩＦアンプ
９  ＩＦカウント
１０  マイコン
１１  ＡＭ検波器
１２  帯域制限回路
１３  共振回路
１４  ＢＰＦ
１５  ＯＳＣ
１６  リミッタアンプ
１７  ＦＭ検波器
２０、２０ａ  ＡＭ受信機
３０  ＦＭ受信機
４１  第１のフィルタ回路部
４２  第２のフィルタ回路部
４３  第１の帯域可変部
４４  第２の帯域可変部
４４  第３の帯域可変部
Ｃ１、Ｃ１１〜１９、Ｃ２１〜２３、Ｃ３１〜３３  コンデンサ
ＩＦ  中間周波数
Ｌ１、Ｌ２  伝送路
Ｓ１１、Ｓ１１ａ、Ｓ２１  局部発振信号
Ｓ１２、Ｓ１２ａ、Ｓ１３、Ｓ１３ａ、Ｓ２２、Ｓ２３  中間周波数信号
Ｓ１４、Ｓ１４ａ、Ｓ１４ｂ  ＩＦカウント信号
Ｓ１５、Ｓ１５ａ、Ｓ１５ｂ  周波数変更信号
Ｓ１６、Ｓ１６ａ、Ｓ１６ｂ  制御信号
ＳＷ１〜５  スイッチ
Ｖｓｓ  低電位側電源
【図１】
2007019847.tif 000003
【図２】
2007019847.tif 000004
【図３】
2007019847.tif 000005
【図４】
2007019847.tif 000006
【図５】
2007019847.tif 000007
【図６】
2007019847.tif 000008